(57)【要約】      （修正有）【課題】従来の日本語キーボード及びタイプ入力より字母の認知が容易で、タイプ入力が便利であり、日本語文章の作成効率が顕著に向上される新型日本語キーボード及び入力方法を提供する【解決手段】現在用いられる英語字母の組み合わせを日本語字母の組み合わせで代替して日本語字母を用いるコンピューターキーボードの日本語キーボードの字母構成配列及びタイプ入力方法とする。【選択図】図１
2019219994.tif 000002
【特許請求の範囲】
【請求項１】
コンピューターキーボードの日本語キーボード字母構成
キーボードに配列される「か・が・さ・ざ・た・だ・な・は・ば・ぱ・ま・ら・あ・い・う・え・お・や・ゆ・よ・わ・を・ん・っ・―・ヴ」２６字を構成し、「あ・や・わ」行の上部に配列する拗音「ぁ・ぃ・ぅ・ぇ・ぉ・ゃ・ゅ・ょ・ゎ」９字のキーボードを構成することを特徴とするコンピューターキーボードの日本語キーボード字母構成。
【請求項２】
コンピューターキーボードの日本語キーボード字母配列
コンピューターキーボードの日本語キーボードにおいて、構成字母を世界共通語として用いられる英語字母と互換して用いるようにクワーティ配列の２６個文字キーにキーボードを共有するように配列しながら、
上端のＱに「か」を、Ｗに「が」を、Ｅに「さ」を、Ｒに「ざ」を、Ｔに「や・ゃ」を、Ｙに「あ・ぁ」を、Ｕに「い・ぃ」を、Ｉに「う・ぅ」を、Ｏに「―」を、Ｐに「ヴ」を配列し、
中央段のＡに「た」を、Ｓに「だ」を、Ｄに「な」を、Ｆに「は」を、Ｇに「ゆ・ゅ」を、Ｈに「え・ぇ」を、Ｊに「お・ぉ」を、Ｋに「ん」を、Ｌに「っ」を配列し、
下端のＺに「ば」を、Ｘに「ぱ」を、Ｃに「ま」を、Ｖに「ら」を、Ｂに「よ・ょ」を、Ｎに「わ・ゎ」を、Ｍに「を」を配列することを特徴とするコンピューターキーボード日本語キーボード字母配列。
【請求項３】
コンピューターキーボードの日本語キーボード字母タイプ入力方法
１．キーボードに配列された字母「か・が・さ・ざ・た・だ・な・は・ば・ぱ・ま・ら・あ・い・う・え・お・や・ゆ・よ・わ・を・ん・っ・―・ヴ」２６字は単独字母として直接タイプして入力し、
１−１．上部に配列された拗音「ぁ・ぃ・ぅ・ぇ・ぉ・ゃ・ゅ・ょ・ゎ」はシフトキーと「あ・い・う・え・お・や・ゆ・よ・わ」キーを組み合わせて単独字母として直接タイプして入力し、
２．キーボードに配列されない規則的な５段の「か・が・さ・ざ・た・だ・な・は・ば・ぱ・ま・ら」字母行「い・う・え・お」段の４８字は、配列された「か・が・さ・ざ・た・だ・な・は・ば・ぱ・ま・ら」字母を子音とし、配列された「い・う・え・お」字母を母音として、子音を押してから母音を押して組み合わせて変換して、字母構成図における「か・が・さ・ざ・た・だ・な・は・ば・ぱ・ま・ら」行、「い・う・え・お」段のそれぞれ該当字母を入力し、
２−１．組み合わせ子音「か・が・さ・ざ・た・だ・な・は・ば・ぱ・ま・ら」字母の後ろに組み合わせない「い・う・え・お」字母が来る時、最初段字母と「あ」の字母を押して最初段字母を定めた後「あ・い・う・え・お」字母を入力することを特徴とするコンピューターキーボード日本語キーボード字母タイプ入力方法。
【発明の詳細な説明】
【技術分野】
【０００１】
本発明はコンピューターキーボードの日本語キーボード及びタイプ入力方法に関するもので、従来の日本語キーボード及びタイプ入力方法より字母の認知が容易で、タイプの入力が便利で日本語の文章作成効率が顕著に向上される新型日本語キーボード及び入力方法に関するものである。
【背景技術】
【０００２】
従来のコンピューターキーボードの日本語キーボード及びタイプ入力方法について説明すれば、
【０００３】
１．従来の日本語字母は４６字で構成されて、英語アルファベット字母２６字より数が多いため、配列が文字入力部以外の数字入力部、文章符号入力部にまで配列されて、文字入力部と数字入力部及び文章符号入力部が区分されず乱れているキーボードによりキーボードの使用が難しく、非能率的である。
【０００４】
２．字母のタイプ入力に文字の配列が原則なしに乱れて配列され、配列字母の認知記憶が難しく、字母を覚えて使用することが非能率的で、タイプ入力速度が遅くて日本語文章の作成効率が顕著に低下して使用できないという問題点がある。
【０００５】
３．前述した日本語キーボード及びタイプ入力における問題点からより容易で且つ便利であり、効率的な英語アルファベット字母を引用して用いるローマ字組み合わせを開発して用いている。
【０００６】
４．日本語文章の作成に英語字母が用いられている実情から、キーボードに配列された日本語字母が用いられることができないという問題点がある。
【発明の概要】
【発明が解決しようとする課題】
【０００７】
本発明は前述した問題点を解決するために創出されたものであって、
コンピューターキーボードの日本語キーボード及びタイプ入力に新しい方法を考案して適用した発明で、従来の日本語キーボード及びタイプ入力より字母の認知が容易で且つ使用が便利であり、文章の作成効率が顕著に向上される日本語キーボード及びタイプ入力を提供することを目的とする。
【課題を解決するための手段】
【０００８】
前記目的を達するために、
【０００９】
１．現在用いられる英語字母の組み合わせを日本語字母の組み合わせで代替して用いる。
【００１０】
１−１．日本語には規則がある。日本語字母は大体５段構成の規則があり、５段構成の規則を利用して英語字母の組み合わせを用い、日本語字母を組み合わせて用いることができる。
【００１１】
２．現在用いられている英語字母を利用した日本語字母タイプ入力方法を見れば日本語字母に音の同じ英語字母を引用し代替して用いる。
【００１２】
２−１．英語字母を引用する字母の使用を見れば、日本語字母「か・が・さ・ざ・た・だ・な・は・ば・ぱ・ま・ら」に音の同じ「ｋ・ｇ・ｓ・ｚ・ｔ・ｄ・ｎ・ｈ・ｂ・ｐ・ｍ・ｒ」を子音として指定し、「ａ・ｉ・ｕ・ｅ・ｏ」を母音として指定して、母音と子音を組み合わせて該当字母が変換されて入力される字母組み合わせで用いている。
【００１３】
３．母音として用いる英語「ａ・ｉ・ｕ・ｅ・ｏ」と、日本語「あ・い・う・え・お」が音が同じで、現在の使用でも「ａ・ｉ・ｕ・ｅ・ｏ」をタイプすれば、直ちに「あ・い・う・え・お」に変換される。英語「ａ・ｉ・ｕ・ｅ・ｏ」を日本語「あ・い・う・え・お」に代替して英語字母の使用を日本語字母の使用の組み合わせ方法とする。
【００１４】
３−１．字母のタイプ入力に子音として用いられる「ｋ・ｇ・ｓ・ｚ・ｔ・ｄ・ｎ・ｈ・ｂ・ｐ・ｍ・ｒ」を日本語字母「か・が・さ・ざ・た・だ・な・は・ば・ぱ・ま・ら」を用い、母音として用いられる英語「ａ・ｉ・ｕ・ｅ・ｏ」を日本語字母「あ・い・う・え・お」を適用して日本語字母を字母組み合わせで、子音と母音を組み合わせて該当字母が変換されて入力されるコンピューターキーボードの日本語キーボード字母構成配列及びタイプ入力方法である。
【発明の効果】
【００１５】
本発明による効果を説明すれば次の通りである。
【００１６】
日本語キーボード及びタイプ入力に新しい方法を考案して適用した発明で、従来の日本語キーボード及びタイプ入力より配列字母が４６字から２６に減って認知及び記憶することが容易で、タイプが便利で、文章の作成が迅速で、効率が顕著に向上されるコンピューターキーボードの日本語キーボードである。
【００１７】
また、英語アルファベット字母引用組み合わせ方法より字母を押す回数が減って効率的であり、日本人が日本語を用いてタイプするようになって英語字母使用の問題点を解消する日本語キーボードである。
【図面の簡単な説明】
【００１８】
【図１】コンピューターキーボードの日本語キーボード字母構成配列図である。
【発明を実施するための形態】
【００１９】
＊言語分析：キーボードに配列される日本語字母について検討する。
【００２０】
日本語字母は初めに清音５０音図から学ぶ。５０音図以外の字母は別途５音図と別に学んで清音５０音図と清音以外の字母が連結されなくて全体字母に対するで認知が不十分である。
【００２１】
全体字母に対する構成が一目瞭然に把握されて認知と記憶がしやすくなるようにカタカナ・平仮名の清音・濁音・半濁音・拗音などの全体字母を５０音図を基準として系列別と字母行字母段に区分した構成図を作成すれば次の通りである。
【００２２】
【表１】
2019219994.tif 000003
【００２３】
前記全体字母構成図の字母を系列別に区分して見れば下の通りである。
【００２４】
１．規則的な５段を構成する「あ・か・が・さ・ざ・た・だ・な・は・ば・ぱ・ま・ら」字母行の６５字がある。
【００２５】
２．５段不規則の「や・ゆ・よ・わ・を・ん・っ・―・ヴ」の９字がある。
【００２６】
３．「あ・や・わ」行の拗音「ぁ・ぃ・ぅ・ぇ・ぉ・ゃ・ゅ・ょ・ゎ」の９字がある。
【００２７】
＊コンピューターキーボードの日本語キーボードの字母構成原則
【００２８】
１．現在用いられる英語字母を引用して組み合わせて用いる方法を日本語の規則的な５段を構成する字母を字母組み合わせで用いる。
【００２９】
１−１．規則的な５段を構成する字母行最初行字母「あ・い・う・え・お」５字を母音として構成し、それぞれ字母行最初段字母「か・が・さ・ざ・た・だ・な・は・ば・ぱ・ま・ら」１２字を子音として構成して、字母組み合わせで用いる方法で「あ・い・う・え・お・か・が・さ・ざ・た・だ・な・は・ば・ぱ・ま・ら」の１７字を導出して構成する。
【００３０】
２．５段不規則の「や・ゆ・よ・わ・を・ん・っ・―・ヴ」の９字を構成する。
【００３１】
３．「あ・や・わ」行の拗音「ぁ・ぃ・ぅ・ぇ・ぉ・ゃ・ゅ・ょ・ゎ」の９字を構成する。
【００３２】
＊コンピューターキーボードの日本語キーボード字母構成
【００３３】
キーボードに配列される「か・が・さ・ざ・た・だ・な・は・ば・ぱ・ま・ら・あ・い・う・え・お・や・ゆ・よ・わ・を・ん・っ・―・ヴ」２６字を構成し、「あ・や・わ」行の上部に配列する拗音「ぁ・ぃ・ぅ・ぇ・ぉ・ゃ・ゅ・ょ・ゎ」の９字を構成する。
【００３４】
＊コンピューターキーボードの日本語キーボード構成字母の配列
【００３５】
＊字母配列原則
【００３６】
１．世界共通語として用いられる英語字母と互換して用いるようにクワーティ配列の２６個文字キーに字母の認知記憶と手の使用に適切に配列して効率的なタイプ入力ができるようにする。
【００３７】
２．配列字母の認知記憶しやすくして、学んだり覚える時間を減らす。
【００３８】
２−１．字母構成図の系列区分と行と段の順序で配列する。
【００３９】
３．現在のクワーティ配列の２６個のキーを効率的に用いる手の使用をみると、ほとんど左側１４字は左手で使用し、右側１２字は右手で使用している。
【００４０】
３−１．字母の認知記憶と手の使用が同じくなるように字母の区分と位置配置を適切にして、単独字母のタイプには影響を受けないが、組み合わせ字母の使用は左手と右手が交互に用いることが効率的で、字母の使用率を考慮して字母のタイプ入力が効率的になるようにする。
【００４１】
＊字母配列内容
【００４２】
１．配列される構成字母２６字は単独字母として用いながら、組み合わせ字母として用いる子音使用の１２字母があり、母音使用の５字母がある。
【００４３】
２．上記配列原則によって子音として用いる「か・が・さ・ざ・た・だ・な・は・ば・ぱ・ま・ら」１２字を左手を用いる左側に字母構成図における行の順で上端に「か・が・さ・ざ」を中央段に「た・だ・な・は」を下端に「ば・ぱ・ま・ら」を配列し、単独字母として入力され、３字を構成する「や・ゆ・よ」を左側子音と右側母音が区分されるように中央に段の順で上端に「や」を中央段に「ゆ」を下端に「よ」を配列配し、母音として用い、使用頻度の高い「あ・い・う・え・お」５字を右手を用い、右手の人差し指で日本語初字母「あ」がタイプされるように右側に段の順で上端に「あ・い・う」を中央段に「え・お」を配列し、残り「わ・を・ん・っ・―・ヴ」の６字を使用率を考慮して上端に「―・ヴ」を中央段に「ん・っ」を下端に「わ・を」を配列する。
【００４４】
２−１．「あ・や・わ」行の拗音「ぁ・ぃ・ぅ・ぇ・ぉ・ゃ・ゅ・ょ・ゎ」を基本字母上部に配列する。
【００４５】
３．前記配列は左右上下字母の区分と位置配列に認知記憶と手の使用を同じくする字母構成図の系列区分と行と段の順で配列し、子音字母と母音字母を単独字母としてタイプしながら組み合わせ字母としてタイプする際に両手を用いるようにし、字母の使用率を考慮して字母のタイプ入力が効率的になるように最適な配置を構想した配列である。
【００４６】
＊コンピューターキーボードの日本語キーボード構成字母配列
【００４７】
図１のコンピューターキーボードの日本語キーボード字母構成配列図のように、
【００４８】
コンピューターキーボードの日本語キーボードにおいて、構成字母を世界共通語として用いられる英語字母と互換して用いるようにクワーティ配列の２６個文字キーにキーボードを共有するように配列しながら、
【００４９】
上端のＱに「か」を、Ｗに「が」を、Ｅに「さ」を、Ｒに「ざ」を、Ｔに「や・ゃ」を、Ｙに「あ・ぁ」を、Ｕに「い・ぃ」を、Ｉに「う・ぅ」を、Ｏに「―」を、Ｐに「ヴ」を配列し、
【００５０】
中央段のＡに「た」を、Ｓに「だ」を、Ｄに「な」を、Ｆに「は」を、Ｇに「ゆ・ゅ」を、Ｈに「え・ぇ」を、Ｊに「お・ぉ」を、Ｋに「ん」を、Ｌに「っ」を配列し、
【００５１】
下端のＺに「ば」を、Ｘに「ぱ」を、Ｃに「ま」を、Ｖに「ら」を、Ｂに「よ・ょ」を、Ｎに「わ・ゎ」を、Ｍに「を」を配列する。
【００５２】
＊コンピューターキーボードの日本語キーボード字母のタイプ入力方法を説明すれば次の通りである。
【００５３】
１．キーボードに配列された字母「か・が・さ・ざ・た・だ・な・は・ば・ぱ・ま・ら・あ・い・う・え・お・や・ゆ・よ・わ・を・ん・っ・―・ヴ」２６字は単独字母として直接タイプして入力し、
【００５４】
１−１．上部に配列された拗音「ぁ・ぃ・ぅ・ぇ・ぉ・ゃ・ゅ・ょ・ゎ」はシフトキーと「あ・い・う・え・お・や・ゆ・よ・わ」キーを組み合わせて単独字母として直接タイプして入力する。
【００５５】
２．キーボードに配列されない規則的な５段の「か・が・さ・ざ・た・だ・な・は・ば・ぱ・ま・ら」字母行「い・う・え・お」段の４８字は、配列された「か・が・さ・ざ・た・だ・な・は・ば・ぱ・ま・ら」字母を子音とし、配列された「い・う・え・お」字母を母音として、子音を押してから母音を押して組み合わせて変換して、字母構成図「か・が・さ・ざ・た・だ・な・は・ば・ぱ・ま・ら」行、「い・う・え・お」段のそれぞれ該当字母を入力する。
２−１．組み合わせ子音「か・が・さ・ざ・た・だ・な・は・ば・ぱ・ま・ら」字母の後ろに組み合わせない「い・う・え・お」字母が来る時、最初段字母と「あ」の字母を押して最初段字母を定めた後「あ・い・う・え・お」字母を入力する。
【００５６】
２−１−１．例示：「さい」を入力する際に二字母をタイプすれば「し」に変換されるので「さ・あ・い」にタイプして「さい」を入力する。
【図１】
2019219994.tif 000004